(57)【要約】  【課題】  第１刺繍領域に対して、その第１領域の内部に少なくとも一部が配置される第２刺繍領域を、際立つように且つ立体的に表現できるようにすること。  【解決手段】  第１刺繍領域とこの第１刺繍領域に重ね合わせられた第２刺繍領域の領域情報を夫々入力設定し（Ｓ11〜Ｓ12）、第１刺繍領域に対して形成する縫目の縫い形式を設定すると（Ｓ13）、第２刺繍領域に対して、第１刺繍領域として設定された縫い形式とは異なる縫い形式が自動的に設定され（Ｓ14）、これら設定された縫い形式に基づいて、第２刺繍領域が重ね合わされた領域を除く第１刺繍領域に刺繍縫いを行うための第１刺繍データと、第２刺繍領域に刺繍縫いを行うための第２刺繍データとが作成される（Ｓ16）。【選択図】  図５
2005287564.tif 000002
【特許請求の範囲】
【請求項１】
刺繍ミシンにより刺繍縫製する為の刺繍データを作成する刺繍データ作成装置において、
刺繍縫製を行う第１刺繍領域と、この第１刺繍領域の内部に少なくとも一部が重ね合わせられた第２刺繍領域とを示す領域情報を入力する為の刺繍領域入力手段と、
前記第１刺繍領域と前記第２刺繍領域の一方の刺繍領域に対して形成する縫目の縫い形式を設定する第１設定手段と、
前記第１設定手段により縫い形式が設定された前記一方の刺繍領域とは異なる他方の刺繍領域に対して、前記一方の刺繍領域に対して指定された縫い形式とは異なる縫い形式を設定する第２設定手段と、
前記第１設定手段及び第２設定手段により設定された縫い形式基づいて、前記第１刺繍領域であって前記第２刺繍領域が重ね合わされた領域を除く第１刺繍領域に刺繍縫いを行うための第１刺繍データと、前記第２刺繍領域に刺繍縫いを行うための第２刺繍データとを作成する刺繍データ作成手段と、
を備えたことを特徴とする刺繍データ作成装置。
【請求項２】
前記一方の刺繍領域が前記第１刺繍領域であり、前記他方の刺繍領域が前記第２刺繍領域であることを特徴とする請求項１に記載の刺繍データ作成装置。
【請求項３】
前記第１設定手段は手動にて縫い形式を設定する手動設定手段であり、前記第２設定手段は第１設定手段により設定された縫い形式とは異なる縫い形式を自動的に設定することを特徴とする請求項２に記載の刺繍データ作成装置。
【請求項４】
前記第１設定手段により前記一方の刺繍領域に対する縫い形式としてサテン縫いが設定された場合、前記第２設定手段は前記他方の刺繍領域に対する縫い形式としてタタミ縫いを設定することを特徴とする請求項１〜３の何れかに記載の刺繍データ作成装置。
【請求項５】
前記第１設定手段により前記一方の刺繍領域に対する縫い形式としてタタミ縫いが設定された場合、前記第２設定手段は前記他方の刺繍領域に対する縫い形式としてサテン縫いを設定することを特徴とする請求項１〜３の何れかに記載の刺繍データ作成装置。
【請求項６】
前記第１設定手段及び第２設定手段により設定される縫い形式が、針落ち点ピッチと針落ち点偏差量との少なくとも一方を含むことを特徴とする請求項１〜５の何れかに記載の刺繍データ作成装置。
【請求項７】
前記刺繍データ作成手段は、前記第２刺繍領域において、前記第１刺繍領域に重ね合わされた領域のみについて刺繍データを作成し、第１刺繍領域の外部に位置する部分については刺繍データの作成を行わないことを特徴とする請求項１〜６の何れかに記載の刺繍データ作成装置。
【請求項８】
前記他方の刺繍領域に形成される縫目を前記他一方の刺繍領域に形成される縫目に対して浮かんだ状態又は沈んだ状態とするかを指定する為の浮沈指定手段を更に備え、
前記第２設定手段は、前記第１設定手段により設定された縫い形式と、前記浮沈指定手段により指定された浮き沈み情報とに基づいて、前記他方の刺繍領域の縫い形式を設定することを特徴とする請求項３に記載の刺繍データ作成装置。
【請求項９】
前記刺繍データ作成手段は、前記第１刺繍領域を刺繍縫いする際の縫目形成方向と前記第２刺繍領域を刺繍縫いする際の縫目形成方向とが同じ方向となるように刺繍データを作成することを特徴とする請求項１〜８の何れかに記載の刺繍データ作成装置。
【請求項１０】
前記刺繍データ作成手段は、前記第２刺繍領域の輪郭線上に針落ち点を形成するための刺繍データを作成することを特徴とする請求項１〜９の何れかに記載の刺繍データ作成装置。
【請求項１１】
前記刺繍領域入力手段は、複数の第２刺繍領域を示す情報を入力可能に構成され、前記第２設定手段は、これら複数の第２刺繍領域に対して一括して同じ縫い形式を設定することを特徴とする請求項２に記載の刺繍データ作成装置。
【請求項１２】
前記刺繍領域入力手段は、前記第２刺繍領域内の内部に少なくとも一部が重ね合わされた第３刺繍領域を示す情報を入力可能に構成され、
前記第３刺繍領域に対して、前記第２設定手段により設定された縫い形式とは異なる縫い形式を設定する第３設定手段を備え、
前記刺繍データ作成手段は、前記第３設定手段により設定された縫い形式に基づいて前記第３刺繍領域を刺繍縫いするための第３刺繍データを作成することを特徴とする請求項１〜１０の何れかに記載の刺繍データ作成装置。
【請求項１３】
刺繍ミシンにより刺繍縫製する為の刺繍データを作成する刺繍データ作成装置に装備されたコンピュータに刺繍データ作成制御を実行させる為の刺繍データ作成制御プログラムであって、
刺繍縫製を行う第１刺繍領域と、この第１刺繍領域の内部に少なくとも一部が重ね合わせられた第２刺繍領域とを示す領域情報を入力する為の刺繍領域入力ルーチンと、
前記第１刺繍領域と前記第２刺繍領域の一方の刺繍領域に対して形成する縫目の縫い形式を設定する為のデータを読み込む第１設定ルーチンと、
前記第１設定手段により縫い形式が設定された前記一方の刺繍領域とは異なる他方の刺繍領域に対して、前記一方の刺繍領域に対して指定された縫い形式とは異なる縫い形式を設定する為のデータを読み込む第２設定ルーチンと、
前記第１設定ルーチン及び第２設定ルーチンにより設定された縫い形式に基づいて、前記第１刺繍領域であって前記第２刺繍領域が重ね合わされた領域を除く第１刺繍領域に刺繍縫いを行うための第１刺繍データと、前記第２刺繍領域に刺繍縫いを行うための第２刺繍データとを作成する刺繍データ作成ルーチンと、
を備えたことを特徴とする刺繍データ作成制御プログラム。
【請求項１４】
前記第１設定ルーチンは手動にて設定された縫い形式のデータを読み込むルーチンであり、前記第２設定ルーチンは第１設定ルーチンにより設定された縫い形式とは異なる縫い形式を自動的に設定するルーチンであることを特徴とする請求項１３に記載の刺繍データ作成制御プログラム。
【請求項１５】
前記第１設定ルーチンにより前記一方の刺繍領域に対する縫い形式としてサテン縫いが設定された場合、前記第２設定ルーチンは前記他方の刺繍領域に対する縫い形式としてタタミ縫いを設定することを特徴とする請求項１３又は１４に記載の刺繍データ作成制御プログラム。
【請求項１６】
前記第１設定ルーチンにより前記一方の刺繍領域に対する縫い形式としてタタミ縫いが設定された場合、前記第２設定ルーチンは前記他方の刺繍領域に対する縫い形式としてサテン縫いを設定することを特徴とする請求項１３又は１４に記載の刺繍データ作成制御プログラム。
【請求項１７】
前記第１設定ルーチン及び第２設定ルーチンにより設定される縫い形式が針落ち点ピッチと針落ち点偏差量との少なくとも一方を含むことを特徴とする請求項１３〜１６の何れかに記載の刺繍データ作成制御プログラム。
【請求項１８】
前記刺繍データ作成ルーチンは、前記第１刺繍領域を刺繍縫いする際の縫目形成方向と前記第２刺繍領域を刺繍縫いする際の縫目形成方向とが同じ方向となるように刺繍データを作成することを特徴とする請求項１３〜１７の何れかに記載の刺繍データ作成制御プログラム。
【請求項１９】
前記刺繍データ作成ルーチンは、前記第２刺繍領域の輪郭線上に針落ち点を形成するための刺繍データを作成することを特徴とする請求項１３〜１８の何れかに記載の刺繍データ作成制御プログラム。
【発明の詳細な説明】
【技術分野】
【０００１】
本発明は、刺繍データ作成装置、刺繍データ作成制御プログラムに関し、特に第１刺繍領域の内部に少なくとも一部が配置される第２刺繍領域を、浮き沈みしたように表現力豊かな風合いで刺繍縫いできるようにしたものに関する。
【背景技術】
【０００２】
従来、外側の模（ベースとなる模様）の内部に別の模様パターン（所謂、スタンプ模様）を形成した刺繍縫目を作成する刺繍データ作成装置が種々提案されている。例えば、特公平７−４４５６号公報に記載の刺繍データ作成装置は、外側模様の刺繍領域に刺繍縫目を形成する際に、その刺繍縫目とスタンプ模様の刺繍領域の輪郭線とが交叉する点を針落ち点として設定することで、内部のスタンプ模様の外側輪郭線上の全てに針落ちするようにして、模様の輪郭線内に異なる模様を形成するようにしてある（例えば、特許文献１参照）。
【０００３】
【特許文献１】特公平７−４４５６号公報  （第３〜５頁、図１１）
【発明の開示】
【発明が解決しようとする課題】
【０００４】
前記特許文献１に記載の刺繍データ作成装置においては、サテン縫目が施される外側の模様の内部に、スタンプ模様の外側輪郭線上に針落ち点を設けるだけでスタンプ模様を表すため、外側の模様とスタンプ模様内部とで縫い形式に変化がないため、スタンプ模様パターンを外側の模様に対して目立たせることができず、スタンプ模様を効果的に表現できないという問題がある。
【課題を解決するための手段】
【０００５】
請求項１に係る刺繍データ作成装置は、刺繍ミシンにより刺繍縫製する為の刺繍データを作成する刺繍データ作成装置において、刺繍縫製を行う第１刺繍領域と、この第１刺繍領域の内部に少なくとも一部が重ね合わせられた第２刺繍領域とを示す領域情報を入力する為の刺繍領域入力手段と、第１刺繍領域と第２刺繍領域の一方の刺繍領域に対して形成する縫目の縫い形式を設定する第１設定手段と、第１設定手段により縫い形式が設定された前記一方の刺繍領域とは異なる他方の刺繍領域に対して、前記一方の刺繍領域に対して指定された縫い形式とは異なる縫い形式を設定する第２設定手段と、第１設定手段及び第２設定手段により設定された縫い形式基づいて、第１刺繍領域であって第２刺繍領域が重ね合わされた領域を除く第１刺繍領域に刺繍縫いを行うための第１刺繍データと、第２刺繍領域に刺繍縫いを行うための第２刺繍データとを作成する刺繍データ作成手段とを備えたものである。
【０００６】
請求項２に係る刺繍データ作成装置は、請求項１の発明において、前記一方の刺繍領域が前記第１刺繍領域であり、前記他方の刺繍領域が前記第２刺繍領域である。
【０００７】
請求項３に係る刺繍データ作成装置は、請求項２の発明において、前記第１設定手段は手動にて縫い形式を設定する手動設定手段であり、第２設定手段は第１設定手段により設定された縫い形式とは異なる縫い形式を自動的に設定するものである。
【０００８】
請求項４に係る刺繍データ作成装置は、請求項１〜３の何れかの発明において、前記第１設定手段により前記一方の刺繍領域に対する縫い形式としてサテン縫いが設定された場合、第２設定手段は前記他方の刺繍領域に対する縫い形式としてタタミ縫いを設定するものである。
【０００９】
請求項５に係る刺繍データ作成装置は、請求項１〜３の何れかの発明において、前記第１設定手段により前記一方の刺繍領域に対する縫い形式としてタタミ縫いが設定された場合、第２設定手段は前記他方の刺繍領域に対する縫い形式としてサテン縫いを設定するものである。
【００１０】
請求項６に係る刺繍データ作成装置は、請求項〜５の何れかの発明において、前記第１設定手段及び第２設定手段により設定される縫い形式が、針落ち点ピッチと針落ち点偏差量との少なくとも一方を含むものである。
【００１１】
請求項７に係る刺繍データ作成装置は、請求項１〜６の何れかの発明において、前記刺繍データ作成手段は、第２刺繍領域において、第１刺繍領域に重ね合わされた領域のみについて刺繍データを作成し、第１刺繍領域の外部に位置する部分については刺繍データの作成を行わないものである。
【００１２】
請求項８に係る刺繍データ作成装置は、請求項３の発明において、前記他方の刺繍領域に形成される縫目を前記一方の刺繍領域に形成される縫目に対して浮かんだ状態又は沈んだ状態とするかを指定する為の浮沈指定手段を更に備え、第２設定手段は、第１設定手段により設定された縫い形式と、浮沈指定手段により指定された浮き沈み情報とに基づいて、他方の刺繍領域の縫い形式を設定するものである。
【００１３】
請求項９に係る刺繍データ作成装置は、請求項１〜８の何れかの発明において、前記刺繍データ作成手段は、第１刺繍領域を刺繍縫いする際の縫目形成方向と第２刺繍領域を刺繍縫いする際の縫目形成方向とが同じ方向となるように刺繍データを作成するものである。
【００１４】
請求項１０に係る刺繍データ作成装置は、請求項１〜９の何れかの発明において、前記刺繍データ作成手段は、第２刺繍領域の輪郭線上に針落ち点を形成するための刺繍データを作成するものである。
【００１５】
請求項１１に係る刺繍データ作成装置は、請求項２の発明において、前記刺繍領域入力手段は、複数の第２刺繍領域を示す情報を入力可能に構成され、第２設定手段は、これら複数の第２刺繍領域に対して一括して同じ縫い形式を設定するものである。
【００１６】
請求項１２に係る刺繍データ作成装置は、請求項１〜１０の何れかの発明において、前記刺繍領域入力手段は、第２刺繍領域内の内部に少なくとも一部が重ね合わされた第３刺繍領域を示す情報を入力可能に構成され、第３刺繍領域に対して、第２設定手段により設定された縫い形式とは異なる縫い形式を設定する第３設定手段を備え、刺繍データ作成手段は、第３設定手段により設定された縫い形式に基づいて第３刺繍領域を刺繍縫いするための第３刺繍データを作成するものである。
【００１７】
請求項１３に係る刺繍データ作成制御プログラムは、刺繍ミシンにより刺繍縫製する為の刺繍データを作成する刺繍データ作成装置に装備されたコンピュータに刺繍データ作成制御を実行させる為の刺繍データ作成制御プログラムであって、刺繍縫製を行う第１刺繍領域と、この第１刺繍領域の内部に少なくとも一部が重ね合わせられた第２刺繍領域とを示す領域情報を入力する為の刺繍領域入力ルーチンと、第１刺繍領域と第２刺繍領域の一方の刺繍領域に対して形成する縫目の縫い形式を設定する為のデータを読み込む第１設定ルーチンと、第１設定手段により縫い形式が設定された前記一方の刺繍領域とは異なる他方の刺繍領域に対して、前記一方の刺繍領域に対して指定された縫い形式とは異なる縫い形式を設定する為のデータを読み込む第２設定ルーチンと、第１設定ルーチン及び第２設定ルーチンにより設定された縫い形式に基づいて、第１刺繍領域であって第２刺繍領域が重ね合わされた領域を除く第１刺繍領域に刺繍縫いを行うための第１刺繍データと、第２刺繍領域に刺繍縫いを行うための第２刺繍データとを作成する刺繍データ作成ルーチンとを備えたものである。
【００１８】
請求項１４に係る刺繍データ作成制御プログラムは、請求項１３の発明において、前記第１設定ルーチンは手動にて設定された縫い形式のデータを読み込むルーチンであり、第２設定ルーチンは第１設定ルーチンにより設定された縫い形式とは異なる縫い形式を自動的に設定するルーチンである。
【００１９】
請求項１５に係る刺繍データ作成制御プログラムは、請求項１３又は１４の発明において、前記第１設定ルーチンにより前記一方の刺繍領域に対する縫い形式としてサテン縫いが設定された場合、第２設定ルーチンは前記他方の刺繍領域に対する縫い形式としてタタミ縫いを設定するものである。
【００２０】
請求項１６に係る刺繍データ作成制御プログラムは、請求項１又は１４の発明において、前記第１設定ルーチンにより前記一方の刺繍領域に対する縫い形式としてタタミ縫いが設定された場合、前記第２設定ルーチンは前記他方の刺繍領域に対する縫い形式としてサテン縫いを設定するものである。
【００２１】
請求項１７に係る刺繍データ作成制御プログラムは、請求項１３〜１６の何れかの発明において、前記第１設定ルーチン及び第２設定ルーチンにより設定される縫い形式が針落ち点ピッチと針落ち点偏差量との少なくとも一方を含むものである。
【００２２】
請求項１８に係る刺繍データ作成制御プログラムは、請求項１３〜１７の何れかの発明において、前記刺繍データ作成ルーチンは、前記第１刺繍領域を刺繍縫いする際の縫目形成方向と前記第２刺繍領域を刺繍縫いする際の縫目形成方向とが同じ方向となるように刺繍データを作成するものである。
【００２３】
請求項１９に係る刺繍データ作成制御プログラムは、請求項１〜１８の何れかの発明において、前記刺繍データ作成ルーチンは、前記第２刺繍領域の輪郭線上に針落ち点を形成するための刺繍データを作成するものである。
【発明の効果】
【００２４】
請求項１の発明によれば、刺繍ミシンにより刺繍縫製する為の刺繍データを作成する刺繍データ作成装置において、刺繍領域入力手段と、第１設定手段と、第２設定手段と、刺繍データ作成手段とを備えたので、刺繍領域入力手段で入力された第１，第２刺繍領域の一方の刺繍領域に形成する縫目の縫目い形式が第１設定手段により設定された場合、第２設定手段により、第１設定手段で縫い形式が設定された一方の刺繍領域とは異なる他方の刺繍領域に、一方の刺繍領域に指定された縫い形式と異なる縫い形式が設定され、これら設定された縫い形式に基づいて、第１刺繍領域のうち第２刺繍領域以外の部分に形成される刺繍縫いの第１刺繍データと、第２刺繍領域に形成される刺繍縫いの第２刺繍データが作成されるため、第２刺繍領域に形成される縫目縫い形式は第１刺繍領域に形成される縫目の縫い形式が異なり、第２刺繍領域の縫目を第１刺繍領域の縫目に対して際立つように表現することができる。
【００２５】
請求項２の発明によれば、前記一方の刺繍領域が第１刺繍領域であり、前記他方の刺繍領域が第２刺繍領域であるので、第１刺繍領域の縫目の縫い形式を第１設定手段で設定でき、第２刺繍領域の縫目の縫い形式を第２設定手段で設定することができる。その他請求項１と同様の効果を奏する。
【００２６】
請求項３の発明によれば、前記第１設定手段は手動にて縫い形式を設定する手動設定手段であり、前記第２設定手段は第１設定手段により設定された縫い形式とは異なる縫い形式を自動的に設定するので、第１設定手段を介して手動で第１刺繍領域の縫い形式を設定するだけで、第１刺繍領域の縫い形式については第２設定手段により自動的に設定されるので、第２刺繍領域に形成される縫目の縫い形式の設定の簡単化を図ることがきできる。その他請求項２と同様の効果を奏する。
【００２７】
請求項４の発明によれば、前記第１設定手段により一方の刺繍領域に対する縫い形式としてサテン縫いが設定された場合、前記第２設定手段は他方の刺繍領域に対する縫い形式としてタタミ縫いを設定するので、一方の刺繍領域のサテン縫いに対して他方の刺繍領域がタタミ縫いであるため、一方の刺繍領域に対する他方の刺繍領域の縫目を立体的に表現することができる。その他請求項１〜３の何れかと同様の効果を奏する。
【００２８】
請求項５の発明によれば、前記第１設定手段により前記一方の刺繍領域に対する縫い形式としてタタミ縫いが設定された場合、前記第２設定手段は前記他方の刺繍領域に対する縫い形式としてサテン縫いを設定するので、一方の刺繍領域のタタミ縫いに対して他方の刺繍領域がサテン縫いであるため、一方の刺繍領域に対する他方の刺繍領域の縫目を立体的に表現することができる。その他請求項１〜３の何れかと同様の効果を奏する。
【００２９】
請求項６の発明によれば、前記第１設定手段及び第２設定手段により設定される縫い形式が針落ち点ピッチと針落ち点偏差量との少なくとも一方を含むので、これらの縫い形式である針落ち点ピッチや針落ち点偏差量を選択的に変更する等して、一方の刺繍領域に対する他方の刺繍領域の縫目に変化を持たせることができる。その他請求項１〜５の何れかと同様の効果を奏する。
【００３０】
請求項７の発明によれば、前記刺繍データ作成手段は、前記第２刺繍領域において、前記第１刺繍領域に重ね合わされた領域のみについて刺繍データを作成し、第１刺繍領域の外部に位置する部分については刺繍データの作成を行わないので、第２刺繍領域が第１刺繍領域からはみ出さないようにして、必要な刺繍領域に関する刺繍データだけを作成することができる。その他請求項１〜６の何れかと同様の効果を奏する。
【００３１】
請求項８の発明によれば、前記他方の刺繍領域に形成される縫目を一方の刺繍領域に形成される縫目に対して浮かんだ状態又は沈んだ状態とするかを指定する為の浮沈指定手段を更に備え、第２設定手段は、第１設定手段により設定された縫い形式と、浮沈指定手段により指定された浮き沈み情報とに基づいて、他方の刺繍領域の縫い形式を設定するので、浮き沈み情報に基づく浮き沈み効果により、他方の刺繍領域の縫目を一方の刺繍領域の縫目に対して立体的に表現することができる。その他請求項３と同様の効果を奏する。
【００３２】
請求項９の発明によれば、前記刺繍データ作成手段は、第１刺繍領域を刺繍縫いする際の縫目形成方向と第２刺繍領域を刺繍縫いする際の縫目形成方向とが同じ方向となるように刺繍データを作成するので、これら第１刺繍領域の刺繍縫いと第２刺繍領域の刺繍縫いを一気に行うことができ、縫製処理の迅速化を図ることができる。その他請求項１〜８の何れかと同様の効果を奏する。
【００３３】
請求項１０の発明によれば、前記刺繍データ作成手段は、前記第２刺繍領域の輪郭線上に針落ち点を形成するための刺繍データを作成するので、第２刺繍領域の形状を、第１刺繍領域に対して際立つように表現することができる。その他請求項１〜９の何れかと同様の効果を奏する。  
【００３４】
請求項１１の発明によれば、前記刺繍領域入力手段は、複数の第２刺繍領域を示す情報を入力可能に構成され、第２設定手段はこれら複数の第２刺繍領域に対して一括して同じ縫い形式を設定するので、これら複数の第２刺繍領域の縫目の縫い形式を同一にでき、しかも第１刺繍領域の縫目に対して際立つように表現することができる。その他請求項２と同様の効果を奏する。
【００３５】
請求項１２の発明によれば、前記刺繍領域入力手段は、第２刺繍領域内の内部に少なくとも一部が重ね合わされた第３刺繍領域を示す情報を入力可能に構成され、第３刺繍領域に対して、第２設定手段により設定された縫い形式とは異なる縫い形式を設定する第３設定手段を備え、刺繍データ作成手段は、第３設定手段により設定された縫い形式に基づいて第３刺繍領域を刺繍縫いするための第３刺繍データを作成するので、第１刺繍領域の縫目に対して第１刺繍領域内の内部に少なくとも一部が重ね合わされた第２刺繍領域を、また第２刺繍領域に対して第２刺繍領域内の内部に少なくとも一部が重ね合わされた第３刺繍領域を、夫々際立つように表現することができる。その他請求項１〜１０の何れかと同様の効果を奏する。
【００３６】
請求項１３の発明によれば、刺繍ミシンにより刺繍縫製する為の刺繍データを作成する刺繍データ作成装置に装備されたコンピュータに刺繍データ作成制御を実行させる為の刺繍データ作成制御プログラムであって、刺繍領域入力ルーチンと、第１設定ルーチンと、第２設定ルーチンと、刺繍データ作成ルーチンとを備えたので、これら刺繍領域入力ルーチンと第１設定ルーチンと第２設定ルーチンと刺繍データ作成ルーチンとを含む刺繍データ作成制御プログラムにより刺繍データ作成制御を実行させることにより、前記請求項１と同様の効果が得られる。
【００３７】
請求項１４の発明によれば、前記第１設定ルーチンは手動にて設定された縫い形式のデータを読み込むルーチンであり、第２設定ルーチンは第１設定ルーチンにより設定された縫い形式とは異なる縫い形式を自動的に設定するルーチンであるので、これら第１設定ルーチンと第２設定ルーチンとを有する刺繍データ作成制御プログラムにより刺繍データ作成制御を実行させることにより、前記請求項３と同様の効果が得られる。その他請求項１３と同様の効果を奏する。
【００３８】
請求項１５の発明によれば、前記第１設定ルーチンにより前記一方の刺繍領域に対する縫い形式としてサテン縫いが設定された場合、第２設定ルーチンは前記他方の刺繍領域に対する縫い形式としてタタミ縫いを設定するので、これら第１設定ルーチンと第２設定ルーチンとを有する刺繍データ作成制御プログラムにより刺繍データ作成制御を実行させることにより、前記請求項４と同様の効果が得られる。その他請求項１３又は１４と同様の効果を奏する。
【００３９】
請求項１６の発明によれば、前記第１設定ルーチンにより前記一方の刺繍領域に対する縫い形式としてタタミ縫いが設定された場合、第２設定ルーチンは前記他方の刺繍領域に対する縫い形式としてサテン縫いを設定するので、これら第１設定ルーチンと第２設定ルーチンとを有する刺繍データ作成制御プログラムにより刺繍データ作成制御を実行させることにより、前記請求項５と同様の効果が得られる。その他請求項１３又は１４と同様の効果を奏する。
【００４０】
請求項１７の発明によれば、前記第１設定ルーチン及び第２設定ルーチンにより設定される縫い形式が針落ち点ピッチと針落ち点偏差量との少なくとも一方を含むので、これら第１設定ルーチンと第２設定ルーチンとを有する刺繍データ作成制御プログラムにより刺繍データ作成制御を実行させることにより、前記請求項６と同様の効果が得られる。その他請求項１３〜１６の何れかと同様の効果を奏する。
【００４１】
請求項１８の発明によれば、前記刺繍データ作成ルーチンは、第１刺繍領域を刺繍縫いする際の縫目形成方向と第２刺繍領域を刺繍縫いする際の縫目形成方向とが同じ方向となるように刺繍データを作成するので、その刺繍データ作成ルーチンを有する刺繍データ作成制御プログラムにより刺繍データ作成制御を実行させることにより、前記請求項９と同様の効果が得られる。その他請求項１３〜１７の何れかと同様の効果を奏する。
【００４２】
請求項１９の発明によれば、前記刺繍データ作成ルーチンは、第２刺繍領域の輪郭線上に針落ち点を形成するための刺繍データを作成するので、その刺繍データ作成ルーチンを有する刺繍データ作成制御プログラムにより刺繍データ作成制御を実行させることにより、前記請求項１０と同様の効果が得られる。その他請求項１３〜１８の何れかと同様の効果を奏する。
【発明を実施するための最良の形態】
【００４３】
本実施形態における刺繍データ作成装置及び刺繍データ作成制御プログラムは、ベース領域として設定された第１刺繍領域内に、スタンプパターンとして設定された第２刺繍領域を設定し、第１刺繍領域の縫い形式をユーザーが設定した場合、第２刺繍領域の縫い形式が、第１刺繍領域の縫い形式と異なるように、即ち、第１刺繍領域の縫目に対して際立つように且つ立体的に表現できるようにしてある。
【実施例】
【００４４】
先ず、図１に示すように、刺繍縫いが可能な刺繍ミシン１について、簡単に説明する。この刺繍ミシン１は、通常の家庭用の電子制御ミシンと同様のもので、刺繍ミシン１の本体部は、ベッド部２と脚柱部３とアーム部４を有し、ベッド部２には、図示しない糸輪捕捉器が設けられるとともに、布保持枠５をＸ方向とＹ方向とに移動駆動する枠駆動機構６が設けられている。
【００４５】
アーム部４には、縫製開始を指令するスイッチ７が設けられ、その内部には、図示しないがミシンモータで駆動される主軸が配設され、その主軸の回転により針棒駆動機構を介して針棒及びその下端の縫針８が上下駆動される。
【００４６】
脚柱部３には、カラー表示可能な液晶ディスプレイ９が設けられるとともに、後述する刺繍データ作成装置１０の制御装置２０に接続された接続コード１７のコネクタ１８が接続されている。それ故、刺繍データ作成装置１０から送信される刺繍データを受けると、その刺繍データに基づいて枠駆動機構６に設けられたＸ方向駆動モータとＹ方向駆動モータとが夫々駆動制御され、枠駆動機構６に連結された布保持枠５がＸ方向とＹ方向に夫々独立に移動され、布保持枠５に保持されたハンカチ、ブラウス等の布地Ｗに刺繍模様が形成される。
【００４７】
刺繍データ作成装置１０は、パーソナルコンピュータ１１と、ディスプレイ１２と、キーボード１３と、マウス１４と、イメージスキャナ１５（これらが刺繍領域入力手段に相当する）等で構成されている。イメージスキャナ１５により読み取られた刺繍領域、又はマウス１４の操作によりディスプレイ１２のマウスポインタを介してプロットにより入力設定された刺繍領域の座標点データに基づいて領域データが作成され、その領域データに基づいて後述の刺繍データ作成制御プログラムにより、布保持枠５のＸ方向と、Ｙ方向の相対移動量を指示するステッチデータが作成される。
【００４８】
図２に示すように、パーソナルコンピュータ１１には、刺繍データ作成に関する制御全体を司る制御装置２０が設けられている。制御装置２０は、ＣＰＵ２１とＲＯＭ２２とＲＡＭ２３とこれらを接続するバス２４とを含むマイクロコンピュータと、バス２４に接続されハードディスク（ＨＤ）２５に備えたハードディスクドライブ（ＨＤＤ）２６と、入出力インターフェース２７等を有する。
【００４９】
また、バス２４には、フレキシブルディスクドライブ（ＦＤＤ）２８と、ＣＤ−ＲＯＭドライブ２９も接続されている。入出力インターフェース２７には、キーボード１３と、マウス１４と、イメージスキャナ１５と、ディスプレイ１２を駆動する為の表示駆動回路３０と、接続コード１７を介して刺繍ミシン１とが夫々接続されている。
【００５０】
ＲＯＭ２２には、パーソナルコンピュータの電源ＯＮ時に、パーソナルコンピュータを起動させる起動プログラム等が格納されている。一方、ハードディスク２５には、ＯＳ（オペレーティング・システム）や、ディスプレイ１２とキーボード１３とマウス１４とイメージスキャナ１５等を使用可能とする為の各種のドライバ、アプリケーションプログラム等が組み込まれると共に、刺繍領域を１又は複数のブロックに分割するブロック分割制御プログラム、後述の刺繍データ作成制御プログラムや付随する後述の縫い形式設定テーブルを示すデータ（図３〜６参照）等、各種の制御プログラムも格納されている。
【００５１】
前記ハードディスク２５には、図３に示すように、第１刺繍領域の縫目形式（「タタミ」，「サテン」）と、  第１刺繍領域に形成される縫目に対して第２刺繍領域に形成される刺繍縫いを浮かんだ状態とするか沈んだ状態とするを指定する浮き沈み情報（「無し」，「浮き」，「沈み」）と、第１刺繍領域の縫目形式と浮き沈み情報とに基づいて第２刺繍領域の縫目形式を自動的に設定するための第２刺繍領域の縫目形式とを夫々対応させた第１縫い形式設定テーブルが予め格納されている。
【００５２】
前記ハードディスク２５には、更に、図４に示すように、タタミ縫い又はサテン縫いの縫い形式に対して適用される共通の縫製パラメータ（「縫目縫製」，「糸密度」）と、タタミ縫いに対してだけ適用される縫製パラメータ（「針落ち点ピッチ」，「針落ち点偏差量」）を設定した第２縫い形式設定テーブルが予め格納されている。
【００５３】
ここで、針落ち点ピッチとは、タタミ縫いを行うための針落ち点間隔であり、針落ち点偏差量とは、タタミ縫いを行うための針落ち点が隣接する縫目ラインにおいて、縫目方向と直交する方向に対するズレ量である。
【００５４】
上述の通り、ハードディスク２５に格納された各種プログラムやパラメータ等は、ＲＡＭ２３に読み込ませて実行又は処理されることになる。また、前述のマウスポインタを介して入力設定された刺繍領域データやイメージスキャナ１５で読み取られて作成された刺繍領域データ、ディスプレイ１２を介して作成された刺繍領域データに基づいて作成された刺繍データ（ステッチデータ）等もＲＡＭ２３やハードディスク２５に格納される。
【００５５】
次に、入力された第１及び第２刺繍領域に基づいて刺繍データを作成する刺繍データ作成制御の制御プログラムについて、図５，６に基づいて説明する。尚、図中符号Ｓｉ（ｉ＝１１、１２、１３・・・）は各ステップを示す。ここで、図７に示す矩形状の第１刺繍領域Ｅ１が一方の刺繍力に相当し、ハート形状の第２刺繍領域Ｅ２が他方の刺繍領域に相当する。
【００５６】
キーボード１３の所定のキー（例えば、刺繍データ作成キー）の操作により、この制御が開始され、先ず、図７に示すように、ディスプレイ１２上で、マウス１４の操作により、マウスポインタＰで指示してクリック操作によりプロットすることで、正方形のベース領域である第１刺繍領域Ｅ１（Ａ１〜Ａ４）が設定されると、その第１刺繍領域Ｅ１に関する領域データ（輪郭線データ）が作成される（Ｓ11）。次に、同様にして、マウス１４の操作により、マウスポインタＰで指示してクリック操作によりプロットすることで、第１刺繍領域Ｅ１内にスタンプパターン（ハート）である第２刺繍領域Ｅ２が設定され、その第２刺繍領域Ｅ２に関する領域データ（輪郭線データ）が作成される（Ｓ12）。
【００５７】
次に、ディスプレイ１２に表示された縫い形式設定画面（図示略）を介して、操作により第１刺繍領域Ｅ１を縫製する際の縫目形式（例えば、サテン縫い）が設定されるとともに、図４に示す第２縫い形式設定テーブルに基づいて、上記の通り設定した縫目形式の縫製パラメータ（例えば、縫目方向「水平」、糸密度「4.0 本／mm」が操作者により設定されると、これらの設定データが読み込まれる（Ｓ13）。
【００５８】
尚、縫目形式のパラメータについては、図４に示す例のように、所定の値が記憶されたものに限らず、所定の範囲の数値から操作者が任意に設定するようにしてもよい。例えば、「縫目方向」として、方向を示す角度が「０度〜３５９度」の範囲で、また「糸密度」として、「１本／mm〜７本／mm」の範囲で、更に、「針落ち点偏差量」として、「０〜９９％」の範囲で、操作者が任意に設定できるようにしてもよい。
【００５９】
次に、第２刺繍領域Ｅ２について、この第２刺繍領域Ｅ２に形成される縫い模様を第１刺繍領域Ｅ１に形成される縫い模様に対して浮かせた風合いとするか、沈めた風合いとするかについての情報（以下、浮き沈み情報という）を操作者が設定すると、第１縫い形式設定テーブルに基づいて、第２刺繍領域Ｅ２の縫目形式（例えば、タタミ縫い）が自動的に設定されるとともに、第２縫い形式設定テーブルに基づいて、この縫目形式の縫製パラメータが自動的に設定され、これらの設定データが読み込まれる（Ｓ14) 。
【００６０】
具体的には、上記Ｓ13において、第１刺繍領域Ｅ１の縫目形式として操作者により「サテン縫い」が設定され、Ｓ14において操作者が浮き沈み情報として沈めた風合いとする旨の情報を指定すると、第２刺繍領域Ｅ２に形成される縫い模様を、サテン縫いで縫製される第１刺繍領域Ｅ１に形成される縫い模様に対して沈めた風合いとするために、第２刺繍領域Ｅ２に対する縫目形式として「タタミ縫い」が自動的に設定されることになる。
【００６１】
一般に、ある領域を縫製する際に、タタミ縫いはサテン縫いと比べて針落ち点の数が多いため、サテン縫いで縫製された領域中にタタミ縫いで縫製された領域を設けることにより、タタミ縫いで縫製された領域を周囲のサテン縫いで縫製された領域に対して沈んだ風合いとすることができるのである。
【００６２】
次に、第１刺繍領域Ｅ１について、１つ又は複数のブロックに展開処理され（Ｓ15）、次いで、ブロック展開された各ブロック毎に針落ち点を演算で求める針落ち点演算処理（図６参照）が実行される（Ｓ16）。この処理が開始されると、先ず、Ｓ15にて展開処理したブロックのブロック数がブロック数カウンタＡにセットされるとともに、ポインタＮに初期値「１」がセットされる（Ｓ21）。
【００６３】
次に、ポインタＮで指示されるブロックのブロックデータが読み込まれ（Ｓ22）、第１刺繍領域Ｅ１（図７に示すＡ１〜Ａ４を結ぶ矩形図形）のブロックデータ（輪郭線データ）と、上記Ｓ13にて設定された糸密度データ及び縫目方向データとに基づいて、後述の縫目ラインＬを演算するための仮想針落ち点が演算される（Ｓ23）。例えば、図８に示すように、第１刺繍領域Ｅ１（Ａ１〜Ａ４）において、辺Ａ２−Ａ４に対して複数の仮想針落ち点ｑ１，ｑ２，ｑ３，・・・ｑｎが求められるとともに、辺Ａ１−Ａ３に対して複数の仮想針落ち点ｒ１，ｒ２，ｒ３，・・・ｒｎが求められる。
【００６４】
次に、これら仮想針落ち点ｑ１，ｑ２，ｑ３，・・・ｑｎと、仮想針落ち点ｒ１，ｒ２，ｒ３，・・・ｒｎとを交互に結んだ全ての縫目ラインＬ１、Ｌ２、Ｌ３・・・Ｌｎ（図８においては、縫目ラインＬａ、Ｌｂ、Ｌｃのみを示す）が演算され（Ｓ24）、各縫目ラインＬ毎に、第２刺繍領域Ｅ２の輪郭線と交叉する点に基づいて分割した分割ラインが演算される（Ｓ25）。
【００６５】
尚、以降の説明においては、第２刺繍領域Ｅ２の輪郭線と交叉する点を有さない縫目ラインＬ（図８に示す縫目ラインＬａ）についても、同様に分割ラインＬとして説明する。次に、各分割ライン毎に、第２刺繍領域Ｅ２内に属するか否かが判定され、領域内に属する場合には、領域内であることを示すデータが分割ラインに付随させて記憶される（Ｓ26）。
【００６６】
次に、Ｓ24で求めた縫目ラインＬの数がライン数カウンタＢにセットされるとともに、ポインタＭに初期値「１」がセットされる（Ｓ27）。次に、ポインタＭで指示される縫目ラインＬのデータが読み込まれ（Ｓ28）、その縫目ラインＬ（分割ラインでもある）の始点、つまり第１刺繍領域Ｅ１の外周上の点が針落ち点として演算される（Ｓ29）。次に、その分割ラインＬが第１刺繍領域Ｅ１に属するのか、或いは第２刺繍領域Ｅ２に属するのかに基づいて、夫々の領域に対して設定された縫い形式の情報に基づいて、その分割ラインＬに形成する針落ち点が演算される（Ｓ30）。
【００６７】
図８に示す場合を例として説明すると、仮想針落ち点ｑ２と仮想針落ち点ｒ３を結ぶ縫目ラインＬａ（即ち、分割ラインＬａ）の始点である仮想針落ち点ｑ２が針落ち点として演算される（Ｓ29）。次に、分割ラインＬａについては、第１刺繍領域Ｅ１に属する縫目ラインであるため、Ｓ13にて設定された第１刺繍領域Ｅ１の縫目形式（縫製パラメータを含む）に基づいて、分割ラインＬａ上の針落ち点を演算するのであるが、図８に示す例では、Ｓ13において設定された縫目形式が「サテン縫い」であるため、分割ラインＬａ上には上記始点をを除いて針落ち点は演算されないこととなる。
【００６８】
続いて、ポインタＭで指示される縫目ラインＬ内において、次の分割ラインが存在するか否かが判定され（Ｓ31）、次の分割ラインが存在する場合には（Ｓ31:Yes) 、次の分割ラインの始点が針落ち点として演算され（Ｓ32）、その後、Ｓ30〜Ｓ31の処理が繰り返して実行される。一方、Ｓ31において、縫目ライン内に次の分割ラインが存在しないと判定された場合には（Ｓ31:No)、ポインタＭの値が１つインクリメントされ（Ｓ33）、次に、インクリメントされたポインタＭの値がライン数カウンタＢの値より小さければ（Ｓ34:No)、インクリメントされたポインタＭで指示する縫目ラインＬについて、Ｓ28〜Ｓ34の処理が繰り返して実行される。
【００６９】
図８に示す場合を例として具体的に説明すると、上述の縫目ラインＬａについては、その縫目ラインＬａ内に次の分割ラインが存在しないため（Ｓ31:No)、Ｓ33にてポインタＭがインクリメントされ、そのポインタＭで指示する縫目ラインＬについて、Ｓ28〜Ｓ34の処理が実行されることとなる。そして、ポインタＭで指示する縫目ラインが図８に示す縫目ラインＬｂとなった場合、先ず、Ｓ29にて分割ラインＬｂ内の分割ラインｂ１の始点である仮想針落ち点ｑｓが針落ち点として演算される。
【００７０】
次に、Ｓ30にて、分割ラインｂ１の属する第１刺繍領域Ｅ１に対して設定された縫目形式（縫製パラメータを含む）に基づいて、分割ラインｂ１上に形成される針落ち点が演算されるのであるが、設定された縫目形式が「サテン縫い」であるため、分割ラインｂ１上には上記始点を除いて針落ち点は演算されないこととなる。そして、この分割ラインＬｂ内には、分割ラインｂ１に続く分割ラインｂ２が存在するため（Ｓ31:Yes) 、分割ラインｂ２の始点（即ち、分割ラインｂ２と第２刺繍領域Ｅ２の輪郭線との交点）を針落ち点として演算される（Ｓ32）。
【００７１】
次に、Ｓ30に戻り、その分割ラインｂ２上に形成される針落ち点が演算される。この場合、分割ラインｂ２は第２刺繍領域Ｅ２に属するため、Ｓ14にてこの第２刺繍領域Ｅ２に対して設定された縫目形式（縫製パラメータを含む）に基づいて針落ち点が演算される。具体的には、第２刺繍領域Ｅ２に対して設定された縫目形式が「タタミ縫い」であるため、設定された縫製パラメータに基づいて分割ラインｂ２上にタタミ縫いする為の針落ち点が演算されることとなる。
【００７２】
以後、縫目ラインＬｂ上の分割ラインｂ３，ｂ４について、Ｓ30〜Ｓ32の処理が繰り返して実行され、分割ラインｂ５についてＳ30の処理が実行されると、縫目ラインＬｂ上には分割ラインｂ５に続く分割ラインが存在しないため（Ｓ31:No)、Ｓ33にてポインタＭがインクリメントされ、縫目ラインＬｂに続く縫目ラインＬについて、Ｓ28〜Ｓ35の処理が繰り返して実行される。
【００７３】
上述の処理が繰り返され、ポインタＭの値がライン数カウンタＢの値より大きくなると（Ｓ34:Yes) 、ポインタＮの値が１つインクリメントされ（Ｓ35）、次にこのインクリメントされたポインタＮの値とブロック数カウンタＡの値とが比較される（Ｓ36）。次に、ポインタＮの値がブロック数カウンタＡの値以下であれば（Ｓ36:No)、そのポインタＮで指示するブロックについて上述のＳ22〜Ｓ36の処理が繰り返して実行される。一方、ポインタＮの値がブロック数カウンタＡの値より大きくなれば（Ｓ36:Yes) 、その時点で処理している分割ラインの終点を針落ち点として演算され（Ｓ37）、この処理を終了する。
【００７４】
このようにして、第１刺繍領域Ｅ１であって、第２刺繍領域Ｅ２が重ね合わされた領域を除く第１刺繍領域Ｅに刺繍縫いを行う為の針落ちデータである第１刺繍データと、第２刺繍領域Ｅ２に刺繍縫いを行う為の針落ちデータである第２刺繍データとが作成され、これにより、ベースとなる第１刺繍領域Ｅ１内にその第１刺繍領域Ｅ１の縫い形式とは異なる縫い形式にて、第２刺繍領域Ｅ２を刺繍する刺繍データが作成されることとなる。言い換えると、異なる縫い形式が混在する一連の刺繍データが作成されるのである。
【００７５】
例えば、図８に示すように、先頭側の縫目ラインＬａについては、第２刺繍領域Ｅ２が重なっていないため分割されず、また第１刺繍領域Ｅ１に対して設定された縫目形式が「サテン縫い」であるため、縫目ラインＬａの始点と終点（即ち、縫目欄Ｌａの次の縫目ラインの始点）にだけ針落ち点が夫々形成される。
【００７６】
しかし、第２刺繍領域Ｅ２を横断する縫目ラインＬｂについては、５つの分割ラインｂ１〜ｂ５に分割され、第１刺繍領域Ｅ１に属する分割ラインｂ１，ｂ３，ｂ５については、第１刺繍領域Ｅ１に対して設定された縫い形式が「サテン縫い」なので、それらの始点と終点、つまり第１刺繍領域Ｅ１の外周と第２刺繍領域Ｅ２の輪郭線上に夫々針落ち点が形成される。一方、第２刺繍領域Ｅ２に属する分割ラインｂ２，ｂ４については、自動的に設定された針落ち点ピッチ及び針落ち点偏差量に基づくタタミ縫いのための針落ち点が形成される。
【００７７】
同様に、第２刺繍領域Ｅ２を横断する縫目ラインＬｃについては、３つの分割ラインｃ１〜ｃ３に分割され、第１刺繍領域Ｅ１に属する分割ラインｃ１，ｃ３についてはその始点と終点、つまり第１刺繍領域Ｅ１の外周と第２刺繍領域Ｅ２の輪郭線上に夫々針落ち点が夫々形成され、第２刺繍領域Ｅ２に属する分割ラインｃ２については、自動的に設定された針落ち点ピッチ及び針落ち点偏差量に基づくタタミ縫いのための針落ち点が夫々形成される。
【００７８】
それ故、「ハート」型の第２刺繍領域Ｅ２が重ね合わされた領域を除く第１刺繍領域Ｅ１に刺繍縫いを行う為の第１刺繍データと、「ハート」型の第２刺繍領域Ｅ２に刺繍縫いを行う為の第２刺繍データとが夫々作成され、これら第１刺繍データと第２刺繍データとを用いて、刺繍ミシン１により、布保持枠５に保持した布地Ｗに縫製した場合、図９に示すように、ベース領域である第１刺繍領域Ｅ１であって、第２刺繍領域Ｅ２と重なる領域を除いた部分にサテン縫目が形成され、第１刺繍領域Ｅ１に重なり合う第２刺繍領域Ｅ２には、自動的にタタミ縫いが形成されるので、第２刺繍領域Ｅ２に形成される縫い形式の設定の簡単化を図ることがきでき、しかも、第２刺繍領域Ｅ２の縫い形式が、第１刺繍領域Ｅ１の縫い形式と異なるため、第１刺繍領域Ｅ１に対して第２刺繍領域Ｅ２を際立つように且つ立体的に表現することができる。
【００７９】
また、第１刺繍領域Ｅ１を刺繍縫いする際の縫目形成方向と第２刺繍領域Ｅ２を刺繍縫いする際の縫目形成方向とが同じ方向となるように刺繍データを作成するので、これら第１刺繍領域Ｅ１の刺繍縫いと第２刺繍領域Ｅ２の刺繍縫いを連続して一気に行うことができ、縫製処理の迅速化を図ることができる。
【００８０】
また、図６に示すブロックの針落ち点演算制御により、第２刺繍領域Ｅ２の輪郭線上に針落ち点を形成するための刺繍データを作成するので、第２刺繍領域Ｅ２の形状を、第１刺繍領域Ｅ１に対して際立つように表現することができる。
【００８１】
ところで、正方形の第１刺繍領域Ｅ１Ａを設定し、第２刺繍領域Ｅ２Ａとして「星」を設定し、第１刺繍領域Ｅ１Ａの縫目形式（例えば、タタミ縫い）と、浮き沈み情報として「浮き」を設定するとともに、縫製パラメータの縫目方向として「右上がり」を設定すると、図１０に示すように、第２刺繍領域Ｅ２Ａの「サテン縫い」が、第１刺繍領域Ｅ１Ａの「タタミ縫い」と異なるため、第１刺繍領域Ｅ１Ａに対して第２刺繍領域Ｅ２Ａの「星」を際立つように且つ浮くように立体的に表現することができる。
【００８２】
更に、正方形の第１刺繍領域Ｅ１Ｂを設定し、第２刺繍領域Ｅ２Ｂとして「ハート」を設定し、第１刺繍領域Ｅ１Ｂの縫目形式（例えば、タタミ縫い）と、浮き沈み情報として「沈み」を設定するとともに、縫製パラメータの縫目方向として「水平」を設定すると、この場合には、第１縫い形式設定テーブルに基づいて、第２刺繍領域Ｅ２Ｂの縫い形式は、第１刺繍領域Ｅ１Ｂの「タタミ縫い」の針落ち点ピッチよりも小さい針落ち点ピッチである「タタミ１」が設定される。
【００８３】
そのため、図１１に示すように、第２刺繍領域Ｅ２Ｂの「タタミ縫い」が、第１刺繍領域Ｅ１Ｂの「タタミ縫い」と異なるため、第１刺繍領域Ｅ１Ｂに対して第２刺繍領域Ｅ２Ｂの「ハート」を、際立つように且つ沈むように立体的に表現することができる。
【００８４】
一方、図１２に示すように、正方形の第１刺繍領域Ｅ１Ｃを設定し、第２刺繍領域Ｅ２Ｃとして複数の「ハート」を重ねるように設定し、第１刺繍領域Ｅ１Ｃの縫目形式（例えば、サテン縫い）と、浮き沈み情報として「沈み」を設定するとともに、縫製パラメータの縫目方向として「水平」を設定すると、この場合には、これら複数の第２刺繍領域Ｅ２Ｃに対して一括して同じ縫い形式「タタミ縫い」が設定されるので、これら複数の第２刺繍領域Ｅ２Ｃの縫い形式を同一にでき、しかも第１刺繍領域Ｅ１Ｃの縫目に対して際立つように且つ沈むように立体的に表現することができる。
【００８５】
ところで、図１３に示すように、正方形の第１刺繍領域Ｅ１Ｄを設定し、第２刺繍領域Ｅ２Ｄとして「ハート」の左半分だけを重ねるように設定し、第１刺繍領域Ｅ１Ｄの縫目形式（例えば、サテン縫い）と、浮き沈み情報として「沈み」を設定するとともに、縫製パラメータの縫目方向として「水平」を設定すると、この場合には、ブロックの針落ち点演算制御により、第１刺繍領域Ｅ１Ｄに重ね合わされた「ハート」の左半分の領域のみについて刺繍データが作成され、第１刺繍領域Ｅ１Ｄの外部に位置する部分については刺繍データの作成を行わないので、第２刺繍領域Ｅ２Ｄが第１刺繍領域Ｅ１Ｄからはみ出さないようにして、必要な刺繍領域に関する刺繍データだけを作成することができる。
【００８６】
ここで、Ｓ11〜Ｓ12が刺繍領域入力手段及び刺繍領域入力ルーチンに相当し、Ｓ13が第１設定手段及び第１設定ルーチンに相当し、Ｓ14が第２設定手段及び第２設定ルーチンに相当し、Ｓ16（Ｓ21〜Ｓ37）が刺繍データ作成手段及び刺繍データ作成ルーチンに相当する。
【００８７】
このように、刺繍データ作成装置１０として機能する各種のコンピュータに刺繍データ作成制御を実行させる為の刺繍データ作成制御プログラムは、刺繍領域入力ルーチン（Ｓ11〜Ｓ12）と、第１設定ルーチン（Ｓ13）と、第２設定ルーチン（Ｓ14）と、刺繍データ作成ルーチン（Ｓ16）とを含むので、これら刺繍領域入力ルーチンと第１設定ルーチンと第２設定ルーチンと刺繍データ作成ルーチンとを含む刺繍データ作成制御プログラムにより刺繍データ作成制御を実行させることにより、前記実施例と同様の効果が得られる。
【００８８】
次に、前記実施の形態の変更形態について説明する。
【００８９】
１〕図３に示す第１縫い形式設定テーブルに、第３刺繍領域の縫目形式を追加して格納し、図１４に示すように、第１刺繍領域Ｅ１Ｅに対して第２刺繍領域Ｅ２Ｅ（ハート）を重ねるように設定し、更に、第３刺繍領域Ｅ３（円）を第２刺繍領域Ｅ２Ｅに重ねるように設定した場合について、図１５のフローチャートに基づいて説明する。
【００９０】
先ず、Ｓ51とＳ52により、前述したＳ11とＳ12と同様に、第１刺繍領域Ｅ１と第２刺繍領域Ｅ２の領域データを設定し、更に、第３刺繍領域Ｅ３の領域についてその領域データを設定する（Ｓ53）。
【００９１】
次に、Ｓ54により前述したＳ13と同様に、第１刺繍領域Ｅ１の縫い形式が設定されると、Ｓ55により前述したＳ14と同様に、第２刺繍領域Ｅ２の縫い形式が自動的に設定され、更に第１縫い形式設定テーブルに基づいて、第３刺繍領域Ｅ３の縫い形式が自動的に設定される（Ｓ56）。そして、Ｓ57がＳ15と同様に実行された後、Ｓ58において、第１刺繍領域Ｅ１と第２刺繍領域Ｅ２だけでなく、第３刺繍領域Ｅ３についても針落ち点が演算される。
【００９２】
最終的に、第１刺繍領域Ｅ１であって第２刺繍領域Ｅ２が重ね合わされた領域を除く第１刺繍領域Ｅに刺繍縫いを行う為の第１刺繍データと、第２刺繍領域Ｅ２であって第３刺繍領域Ｅ３が重ね合わされた領域を除く第２刺繍領域Ｅに刺繍縫いを行う為の第２刺繍データと、第３刺繍領域Ｅ３に刺繍縫いを行う為の第３刺繍データとが夫々作成され、この制御を終了する。ここで、Ｓ51〜Ｓ53が刺繍リ 入力手段に相当し、Ｓ55が第３設定手段に相当する。
【００９３】
例えば、図１４に示すように、正方形の第１刺繍領域Ｅ１Ｅを設定し、第２刺繍領域Ｅ２Ｅとして「ハート」を第１刺繍領域Ｅ１Ｅに重ねるように設定し、更に、第３刺繍領域Ｅ３として「円」を第２刺繍領域Ｅ２Ｅに重ねるように設定し、第１刺繍領域Ｅ１Ｅの縫目形式（例えば、サテン縫い）と、浮き沈み情報として「沈み」を設定するとともに、縫製パラメータの縫目方向として「水平」を設定する。
【００９４】
この場合には、図１４に示すように、第２刺繍領域Ｅ２Ｅの「タタミ縫い」が、第１刺繍領域Ｅ１Ｅの「サテン縫い」と異なるため、第１刺繍領域Ｅ１Ｅに対して「ハート」である第２刺繍領域Ｅ２Ｅのを際立つように且つ沈むように立体的に表現することができるとともに、「円」である第３刺繍領域Ｅ３Ｅの「タタミ縫い」の針落ちピッチが、第２刺繍領域Ｅ２Ｅの「タタミ縫い」の針落ちピッチよりも小さくなっているため、第２刺繍領域Ｅ２Ｅに対して第３刺繍領域Ｅ３Ｅ「円」を際立つように且つ沈むように立体的に表現することができる。
【００９５】
２〕図３に示す第１縫い形式設定テーブルにおいて、第２刺繍領域Ｅ２に対する第３刺繍領域Ｅ３の浮き沈み情報を別途設定できるようにしてもよい。
【００９６】
３〕刺繍データ作成装置１０のハードディスク２５に予め設定された各種の図形や模様の刺繍領域を読み込んだり、イメージスキャナ１５により各種の図形や模様の刺繍領域をで取り込んで、第１〜第３刺繍領域に設定するようにしてもよい。
【００９７】
４〕第１刺繍領域Ｅ１の縫い形式を手動にて設定した場合に、自動的に作成される第２刺繍領域Ｅ２の縫い形式と第３刺繍領域Ｅ３の縫い形式を、例えば、ディスプレイ１２上で夫々修正可能に構成するようにしてもよい。
５〕第２刺繍領域Ｅ２の縫い形式を手動で設定した場合、第１刺繍領域Ｅ１の縫い形式を自動で設定するようにしてもよい。
【００９８】
６〕これら第１刺繍領域Ｅ１と第２刺繍領域Ｅ２を、夫々手動で設定できるように、手動設定モードを設けるようにしてもよい。
【００９９】
７〕上記実施形態においては、第２刺繍領域Ｅ２に形成される縫目を第１刺繍領域Ｅ１に形成される縫目に対して、浮かせ状態とするか沈め状態とするか、即ち、浮き沈み情報を操作者が設定することにより、第２刺繍領域Ｅ２の縫目形式が自動的に設定されるようにしたが、操作者による浮き沈み情報の設定を行うことなく、第１刺繍領域Ｅ１に対して設定された縫目形式と異なる縫目形式が第２刺繍領域Ｅ２に自動的に設定されるようにしてもよい。
【０１００】
この場合、第１刺繍領域Ｅ１に対して設定された縫目形式が「サテン縫い」であれば、第２刺繍領域Ｅ２に対して自動的に「タタミ縫い」が設定され、第１刺繍領域Ｅ１に対して設定された縫目形式が「タタミ縫い」であれば、第２刺繍領域Ｅ２に対して自動的に「サテン縫い」が設定されることとなる。
【０１０１】
８〕本発明は以上説明した実施の形態に限定されるものではなく、当業者でれば、本発明の趣旨を逸脱しない範囲で、前記実施形態に種々の変更を付加して実施することができ、本発明はそれらの変更形態をも包含するものである。
【図面の簡単な説明】
【０１０２】
【図１】本発明の実施例に係る刺繍データ作成装置及び刺繍ミシンの斜視図である。
【図２】刺繍データ作成装置の制御系のブロック図である。
【図３】第１縫い形式設定テーブルの設定データを示す図表である。
【図４】第２縫い形式設定テーブルの設定データを示す図表である。
【図５】刺繍データ作成制御のフローチャートである。
【図６】ブロックの針落ち点演算制御フローチャートである。
【図７】第１及び第２刺繍領域を設定したディスプレイの表示例を示す図である。
【図８】縫目ラインにより演算により針落ち点を求める説明図である。
【図９】スタンプパターン「ハート」をベース領域に沈めるように刺繍縫いした布地の平面図である。
【図１０】スタンプパターン「星」をベース領域に浮かせるように刺繍縫いした布地の平面図である。
【図１１】スタンプパターン「ハート」をベース領域に沈めるように刺繍縫いした布地の平面図である。
【図１２】複数の第２刺繍領域をベース領域に対して沈めるように刺繍縫いした布地の平面図である。
【図１３】第１刺繍領域に部分的に重なる第２刺繍領域を沈めるように刺繍縫いした布地の平面図である。
【図１４】第１及び第２及び第３刺繍領域を相互に重なるように且つ沈めるように刺繍縫いした布地の平面図である。
【図１５】変更形態に係る図５相当図である。
【符号の説明】
【０１０３】
１      刺繍ミシン
１０    刺繍データ作成装置
１２    ディスプレイ
１５    イメージスキャナ
２０    制御装置
Ｅ１    第１刺繍領域
Ｅ２    第２刺繍領域
Ｅ３    第３刺繍領域
【図１】
2005287564.tif 000003
【図２】
2005287564.tif 000004
【図３】
2005287564.tif 000005
【図４】
2005287564.tif 000006
【図５】
2005287564.tif 000007
【図６】
2005287564.tif 000008
【図７】
2005287564.tif 000009
【図８】
2005287564.tif 000010
【図９】
2005287564.tif 000011
【図１０】
2005287564.tif 000012
【図１１】
2005287564.tif 000013
【図１２】
2005287564.tif 000014
【図１３】
2005287564.tif 000015
【図１４】
2005287564.tif 000016
【図１５】
2005287564.tif 000017